(57)【特許請求の範囲】
【請求項１】
バラストタンクにおける船体側板と甲板又は船底板とのコーナー部で垂直壁部と水平壁部と斜壁部とによって断面略直角三角形に形成され且つ各壁部内面に船体長手方向に延びるリブが一定間隔おきに条設されたバラストタンク内部において組み立てられるバラストタンク用仮設足場装置であって、
単管固定用クランプを複数個取り付けたクランプ付き単管と、一端部に係止用フックを設け、他端部にフック係止用単管及び折り畳み自在脚体を設けた片脚付き足場板と、一端部に係止用フックを設けた片フック付き足場板とからなり、
前記斜壁部にある下段側とそれより上段側の２つの所要のリブにクランプ付き単管を夫々クランプで固定し、上段側の単管に片脚付き足場板の係止用フックを係止し、下段側の単管には片脚付き足場板の脚体下端部を固定具を介して固定し、この片脚付き足場板のフック係止用単管に片フック付き足場板の係止用フックを係止し、この片フック付き足場板の他端部を、前記垂直壁部にある所要のリブに載せ掛けてなるバラストタンク用仮設足場装置。
【請求項２】
前記下段側単管を固定したリブの更に下段側の所要のリブにクランプ付き単管をクランプで固定し、このクランプ付き単管に片フック付き足場板の係止用フックを係止し、この片フック付き足場板の他端部を、前記垂直壁部にある所要のリブに載せ掛けてなる請求項１に記載のバラストタンク用仮設足場装置。
【請求項３】
前記片脚付き足場板には脚体の設けられた端部側にハッチを設けると共に、このハッチを開閉する床部を設けてなる請求項１又は２に記載のバラストタンク用仮設足場装置。
【発明の詳細な説明】
【技術分野】
【０００１】
本発明は、船舶のバラストタンク、特に船体側板と甲板又は船底板とのコーナー部で垂直壁部と水平壁部と斜壁部とによって断面略直角三角形状に形成されるタンク部において補修作業や点検作業等を行なう時にそのタンク部内で組み立てて使用される仮設足場装置に関するものである。
【背景技術】
【０００２】
バラストタンクは、船舶の復元性や喫水などを調整するため、ポンプによって水を注水又は排水する船のタンクである。図１は鉄鉱石などを運搬する貨物船の船体１の断面図を示し、図２は図１の矢印Ｘで示される部分の拡大図である。この図１から分かるように、バラストタンク２は、船体１の内周面に沿うように設けられるもので、船体側板２と甲板３とのコーナー部に形成されるタンク部Ａ、船体側板２と船底板４とのコーナー部に形成されるタンク部Ｂ、船体側板２とその内側の壁部５と間に形成されるタンク部Ｃ、船底板４とその内側の壁部６との間に形成されるタンク部Ｄ等からなる。
【０００３】
このような貨物船で例えば鉄鉱石を原産地の外国から日本へ運搬する場合、運搬時は鉄鉱石の積載重量が相当重いので、バラストタンクには水は供給されず、鉄鉱石を日本の港に降ろして外国へ戻る際に、バラストタンクに海水を注水して喫水の調整を行い、バラストタンクに海水を溜めたまま帰港し、そして再び鉄鉱石を積載する際にバラスト水を排出するようになっている。
【０００４】
上記のようにバラストタンクのバラスト水に海水を使用すると、タンク内部が腐食し易いことから、排水後にタンク内部を定期的に補修する必要がある。このタンク内部の補修作業には、点検作業、洗浄作業、塗装作業などがあり、その作業は、通常、バラスト水を排出してバラストタンク内部が空になった状態で鉄鉱石を積載して目的地まで運搬する、その運搬期間中に行なわれる。
【０００５】
しかして、バラストタンク内部の補修作業を行なう場合に、船体側板２の内側に形成されるタンク部Ｃや船底板４の内側に形成されるタンク部Ｄは、比較的高さが低いため、足場を使用せずに作業を行なえるが、船体側板２と甲板３又は船底板４とのコーナー部に形成されるタンク部Ａ，Ｂの内部は、大型貨物船では、高いところで５〜６ｍもあるため、足場がないと作業を行なうことができない。
【発明の開示】
【発明が解決しようとする課題】
【０００６】
従来、このようなタンク部Ａ，Ｂの内部を補修するのに、例えば、タンク部Ａ，Ｂの内部所要箇所に長尺の梯子を掛け、この梯子を使用して作業を行なっていたが、梯子を使用しての作業では、作業能率が非常に悪い上、梯子が倒れるおそれがあって危険であった。そこで、本発明は、バラストタンクにおける船体側板２と甲板３又は船底板４とのコーナー部に形成されるタンク部Ａ，Ｂでの補修等の作業を能率よく安全に行なえるバラストタンク補修等用仮設足場装置を提供することを目的とする。
【課題を解決するための手段】
【０００７】
上記課題を解決するための手段を、後述する実施形態の参照符号を付して説明すると、バラストタンクにおける船体側板２と甲板３又は船底板４とのコーナー部で垂直壁部２ａと水平壁部３ａ，４ａと斜壁部７，８とによって断面略直角三角形に形成され且つ各壁部内面に船体長手方向に延びるリブＲが一定間隔おきに条設されたバラストタンク内部において組み立てられるバラストタンク用仮設足場装置であって、
単管固定用クランプ１２を複数個取り付けたクランプ付き単管１１と、一端部に係止用フック２１を設け、他端部にフック係止用単管２２及び折り畳み自在脚体２３を設けた片脚付き足場板１３と、一端部に係止用フック４３を設けた片フック付き足場板１６と、からなり、
前記斜壁部７，８にある下段側とそれより上段側の２つの所要のリブＲにクランプ付き単管１１を夫々クランプ１２で固定し、上段側の単管１１に片脚付き足場板１３の係止用フック２１を係止し、下段側の単管１１には片脚付き足場板１３の脚体２３下端部を固定具３２を介して固定し、この片脚付き足場板１３のフック係止用単管２１に片フック付き足場板１６の係止用フック４３を係止し、この片脚付き足場板１３の他端部を、前記垂直壁部２ａにある所要のリブＲに載せ掛けてなることを特徴とする。
【０００８】
請求項２は、請求項１に記載のバラストタンク用仮設足場装置において、前記下段側単管１１を固定したリブＲの更に下段側の所要のリブＲにクランプ付き単管１１をクランプ１２で固定し、このクランプ付き単管１１に片フック付き足場板１７の係止用フック４４を係止し、この片フック付き足場板１７の他端部を、前記垂直壁部２ａにある所要のリブＲに載せ掛けるてなることを特徴とする。
【０００９】
請求項３は、請求項１又は２に記載のバラストタンク用仮設足場装置において、前記片脚付き足場板１３には脚体２３の設けられた端部側にハッチ３３を設けると共に、このハッチ３３を開閉する床部３４を設けてなることを特徴とする。
【発明の効果】
【００１０】
上記解決手段による発明の効果を、後述する実施形態の参照符号を付して説明すると、請求項１に係る発明によれば、斜壁部７，８にある下段側とそれより上段側の２つの所要のリブＲにクランプ付き単管１１をクランプ１２で固定し、上段側の単管１１に片脚付き足場板１３の係止用フック２１を係止し、下段側の単管１１に片脚付き足場板１３の脚体２３下端部を固定具３２を介して固定し、この片脚付き足場板１３のフック係止用単管２１に片フック付き足場板１６の係止用フック４３を係止し、この片脚付き足場板１３の他端部を、垂直壁部２ａの所要のリブＲに載せ掛けることによって、前部作業床１Ｓａ及び後部作業床１Ｓｂを形成するから、この作業床１Ｓａ，１Ｓｂによって、バラストタンクの補修作業や点検作業等を能率良く且つ安全に行なうことができる。
【００１１】
またこの架設足場装置は、組立及び分解が簡単であって、上記のような組立要領を作業者が一旦理解すれば、例えば一つのバラストタンク区分室ａでの作業終了後は、この架設足場装置を分解して、装置構成部材を次のバラストタンク区分室ａ内へ搬送し、そこで上記した組立要領と同じ要領で組み立てればよいし、その作業が終われば分解すればよいから、各バラストタンク区分室ａ内での架設足場装置の組立・分解作業を短時間で行うことができると共に、船体１のバラストタンク内に区画形成されている多数のバラストタンク区分室ａの補修作業や点検作業等を能率良く短期間で行うことができる。
【００１２】
請求項２に係る発明によれば、垂直壁部２ａの高さが比較的高い場合は、前記下段側単管１１を固定したリブＲの更に下段側の所要のリブＲにクランプ付き単管１１をクランプ１２で固定しておいて、上段側の後部作業床１Ｓｂを組み立てるに先立ち、上記クランプ付き単管１１に片フック付き足場板１７の係止用フック４４を係止し、この片フック付き足場板１７の他端部を、前記垂直壁部２ａにある所要のリブＲに載せ掛けて、下段作業床２Ｓを形成することにより、作業者は当該下段作業床２Ｓの上で上段後部作業床１Ｓｂの組立作業を容易且つ安全に行うことができる。
【００１３】
請求項３に係る発明によれば、片脚付き足場板１３には脚体２３の設けられた端部側にハッチ３３を設けると共に、このハッチ３３を開閉する床部３４を設けることによって、片脚付き足場板１３を挟んでその上下方向の移動が容易となり、作業能率が向上する。
【発明を実施するための最良の形態】
【００１４】
以下に本発明の好適な実施形態を図面に基づいて説明すると、図１は貨物船の船体１の断面図であり、図２は図１の矢印Ｘで示される部分の拡大図である。これらの図においてＡはバラストタンクにおける船体側板２と甲板３とのコーナー部に形成されるタンク部、Ｂは船体側板２と船底板４とのコーナー部に形成されるタンク部であって、本発明に係るバラストタンク補修等用仮設足場装置は、各タンク部Ａ，Ｂにおいて使用される足場装置である。また、各タンク部Ａ，Ｂは、船体長手方向に一定間隔おきに設けられた隔壁Ｗにより仕切られて、多数のバラストタンク区分室ａ，ｂを形成し、以下に述べるバラストタンク補修等用仮設足場装置は、このバラストタンク区分室ａ，ｂにおいて組み立てられる足場装置である。
【００１５】
図３は船体１の長手方向に一定間隔おきに設けてある隔壁Ｗにより仕切られて形成されたバラストタンク区分室ａの内部構造を示す斜視図で、このバラストタンク区分室ａは、船体側板２の一部を成す垂直壁部２ａと、甲板３の一部を成す水平壁部３ａ（図２参照）と、斜壁部７とによって断面略直角三角形に形成されていて、各壁部２ａ，３ａ，７の内面には船体１の長手方向に延びるリブＲが一定間隔おきに条設されている。各隔壁Ｗには、バラスト水がバラストタンク区分室ａ相互間で連通するように連通窓Ｏが開口されている。
【００１６】
バラストタンク区分室ａの大きさ（寸法）の一例を参考までに示せば、図３に示すように、垂直壁部２ａの高さ５．９ｍ、隔壁Ｗ間の長さは４ｍであり、水平壁部３ａの長さは１０ｍ、斜壁部７の長さは１１．６ｍである。また、各リブＲの長さは、隔壁Ｗ間の長さより僅かに短い。尚、バラストタンク区分室ｂは、船体側板２の一部を成す垂直壁部２ａと、船底板４の一部を成す水平壁部４ａと、斜壁部７とによって断面略直角三角形に形成され、各壁部２ａ，４ａ，７の内面には船体１の長手方向に延びるリブＲが一定間隔おきに条設されている。
【００１７】
図４の(a) はバラストタンク区分室ａの天井部３ａを示す平面図で、この天井部３ａは甲板３の一部を形成するものであり、この天井部３ａには、バラストタンク区分室ａ内に資材を搬入するための搬入ハッチ１０が設けてある。図４の(b) は(a) に示す搬入ハッチ１０の拡大平面図、(c) は(a) のＹ−Ｙ線断面図、(d) は(b) のＺ−Ｚ線断面図である。またバラストタンク区分室ａ内には、搬入ハッチ１０から梯子Ｈが垂設されている。
【００１８】
図５〜図１０は本発明に係るバラストタンク補修等用仮設足場装置の構成部材を示し、先ず、図５の(a) はクランプ１２付き単管１１の正面図、(b) は側面図、(c) は(a) の矢印イで示される部分の正面図、(d) は左側面図、(e) は平面図である。この単管１１は、鋼製パイプからなるもので、リブＲの長さより短く、例えば約３．１ｍの長さを有する。この単管１１の両端部とその中間部の３箇所にクランプ１２が取付け固定されている。各クランプ１２は、図５の(c) 〜(e) に示すように、コ字状本体１２ａと、このコ字状本体１２ａの一端部に螺着され、先端部にバネ板１２ｃを固着した締付ボルト１２ｂと、からなる周知のもので、取付ブラケット１２ｄを介してボルト１２ｅにより単管１１の所要部に取り付けられている。
【００１９】
図６の(a) は片脚付き足場板１３の正面図、(b) は平面図、(c) は底面図であり、図７の(a) は脚体を折り畳んだ状態での片脚付き足場板１３の正面図、(b) は脚体を下ろした治使用状態での正面図、(c) は(b) の矢印ロで示される部分の拡大図、(d) は足場板本体のハッチを閉じた状態の斜視図、(e) はハッチを開けた状態の斜視図であり、図８の(a)
は図７の(b) のハ−ハ線拡大断面図、(b) は図７の(b) の矢印ニで示される部分の拡大図である。この片脚付き足場板１３は、足場板本体１３ｏの一端部に係止用フック２１，２１を両側一対設け、その他端部に鋼製パイプからなるフック係止用単管２２を設けると共に、当該他端部には足場板本体１３ｏの下面側に脚体２３を折り畳み自在に枢着してなるものである。
【００２０】
脚体２３は、夫々鋼製パイプからなる両側一対の脚柱２３ａ，２３ａと両脚柱２３ａ，２３ａの上端部どうしをつなぐ基杆２３ｂと中間部どうしをつなぐ複数の横杆２３ｃとからなるもので、基杆２３ｂを足場板本体１３ｏに枢着して、図７の(a) に示すように足場板本体１３ｏの下面側に折り畳まれた収納位置と、同図の(b) にように収納位置から９０度回動した使用位置とに亘って回動自在に構成すると共に、使用位置ではロック機構（図示省略）によりロックし、図８の(a) に示す操作ツマミ２４を下方へ引っ張って矢印方向へ回すことによってロック解除するようにしている。
【００２１】
また、図７の(a) ，(b) 及び図８の(a) ，(b) に示されるように、各２３ａと足場板本体１３ｏとの間には、脚体２３を使用位置に安定状態に保持するブレス２５が介装されている。各ブレス２５は一端部が脚柱２３ａの中間部に枢着され、ブレス２５の先端部には取付ボルト２６が取り付けてあって、脚体２３が使用位置にある時、この取付ボルト２６を足場板本体１３ｏ側のナット２７（図８の(a) 参照）にねじ込むことによって脚体２３を使用位置に安定状態に保持する。取付ボルト２６は、ブレス２５の先端部に取り付けられた薄い取付片２８に螺着してある。尚、図８の(a) の左側半分は、ブレス２５が脚柱２３ａから足場板本体１３ｏに掛けられる前の状態を示し、その右半分はブレス２５が足場板本体１３ｏに掛けらた後の状態を示す。
【００２２】
また、各脚柱２３ａの下端部には固定ボルト２９が着脱自在に取り付けてあって、脚体２３を収納位置に折り畳む際にブレス２５を図７の(b) の仮想線で示すように脚柱２３ａに添わせて、図８の(a) の左側半分に示すように脚柱２３ａ側から差し込んだ固定ボルト２９の先端部をブレス２５の先端ブレス２５のネジ孔３０にねじ込むことにより、ブレス２５を脚柱２３ａに固定することができる。こうしてブレス２５を脚柱２３ａに固定した脚体２３を収納位置に折り畳んだ時、ブレス２５の先端部にある取付ボルト２６を足場板本体１３ｏ側のナット３１（図８の(a) 参照）にねじ込むことによって、脚体２３を収納位置に固定することができる。尚、脚体２３を収納位置から使用位置に引き出す際には、取付ボルト２６を緩めて足場板本体１３ｏ側のナット３１から外し、固定ボルト２９を取外した後、脚体２３を使用位置に回動し、ブレス２５を持ち上げて、その先端部の取付ボルト２６を足場板本体１３ｏ側のナット２７にねじ込めばよい。
【００２３】
図７の(b) ，(c) 及び図８の(a) に示すように、脚体２３の各脚体２３の下端部には、脚体２３をクランプ付き単管１１に固定するための固定具３２が設けられている。この固定具３２は、脚体２３の下端部に固着されたコ字枠片３２ａと、コ字枠片３２ａの一端部側に取り付けられた固定用ボルト３２ｂとからなるもので、図７の(c) に示すようにコ字枠片３２ａを単管１１にその上から嵌合させた後、固定用ボルト３２ｂをねじ込んで固定するようになっている。
【００２４】
また図６及び図７の(d) ，(e) に示すように、片脚付き足場板１３には脚体２３の設けられた端部側にハッチ３３が設けられていると共に、このハッチ３３を開閉する床部３４が設けられ、この床部３４は、一側端部が足場板本体１３ｏ側に開閉自在に枢着されている。尚、図７の(d) ，(e) は、足場板１３の端部に取り付けられるべきフック係止用単管２２が取り外された状態を図示している。
【００２５】
図９の(a) は両フック付き足場板１５の正面図、(b) は平面図であって、この足場板１５は、足場板本体１５ｏの両端部に夫々係止用フック４２を両側一対ずつ設けている。図１０の(a) は第１の片フック付き足場板１６を示す正面図、(b) は平面図であり、この第１の片フック付き足場板１６は、足場板本体１６ｏの一端部に係止用フック４３を両側一対設けている。また同図の(c) は第２の片フック付き足場板１７を示す正面図、(d) は平面図で、この第２片フック付き足場板１７は第１の片フック付き足場板１６よりも長さが短いだけで、それと同じ構造であって、足場板本体１７ｏの一端部に係止用フック４４を両側一対設けている。尚、第１片フック付き足場板１６の長さは約３００ｃｍ、第２片フック付き足場板１７の長さは約２５３ｃｍである。
【００２６】
以上図５〜図１０によって説明したクランプ１２付き単管１１、片脚付き足場板１３、両フック付き足場板１５及び第１，第２の片フック付き足場板１６，１７が本発明のバラストタンク補修等用仮設足場装置を構成する。この仮設足場装置の組立方法について主に図１１〜図１６を参照しながら以下に説明する。
【００２７】
図１１の(a) は、図３と同様な図で、船体長手方向一定間隔おきに設けてある隔壁Ｗで仕切られて垂直壁部２ａと水平壁部３ａ（図２参照）と斜壁部７とで断面略直角三角形に形成されたバラストタンク区分室ａの内部構造を示し、(b) は(a) の矢印チで示される部分の拡大図である。以下に説明する仮設足場装置は、このバラストタンク区分室ａに組み立てられる仮設足場装置である。そして、バラストタンク区分室ａ内への資材（装置構成部材）の搬入は、甲板３側の水平壁部３ａに設けてある搬入ハッチ１０から梯子Ｈを使って行う。
【００２８】
先ず、斜壁部７に突設されているリブＲの例えば下から３段目と４段目と７段目の夫々のリブＲにクランプ１２付き単管１１を夫々図１１の(b) に示すようにクランプ１２で固定し、同図の(a) に示すような取付状態とする。
【００２９】
それから上段側単管１１の両端部に、所要間隔（両フック付き足場板１５が例えば４枚並べられるだけの間隔）をおいて並置した２つの片脚付き足場板１３，１３の係止用フック２１を夫々係止し（図１３の(b) 参照）、そしてその下方の下段側単管１１（下から４段目のリブＲに取り付けた単管１１）に、各片脚付き足場板１３の脚体２３の下端部を図１２の(b) に示すように固定具３２を介して固定する。こうして両側に固定した２つの片脚付き足場板１３，１３のフック係止用単管２２，２２どうしを、図１６の(a) ，(b) に示すように接続用のパイプ１４によって接続する。接続用パイプ１４は、フック係止用単管２２の内径より若干径小の鋼管からなるもので、このパイプ１４の両端部を、図１６の(a) に示すように、左右両側に対向配置した片脚付き足場板１３，１３のフック係止用単管２２，２２に嵌合させればよい。
【００３０】
上記のように２つの片脚付き足場板１３，１３のフック係止用単管２２，２２を接続用パイプ１４によって接続した後、両側の片脚付き足場板１３，１３の間に両フック付き足場板１５を４枚並べて、各両フック付き足場板１５の一端側係止用フック４２を、リブＲに固定した上段側単管１１に係止し、他端側の係止用フック４２を前記接続用パイプ１４に係止し、これによって足場板１３，１５からなる上段前部作業床１Ｓａを形成する。
【００３１】
尚、この実施形態では、上記のように２つの片脚付き足場板１３，１３を所要間隔に配置し、両足場板１３，１３のフック係止用単管２２，２２を接続用パイプ１４で接続した状態で、この２つの片脚付き足場板１３，１３間に複数枚（４枚）の両フック付き足場板１５を介在させることによって、上段前部作業床１Ｓａを形成しているが、この上段前部作業床１Ｓａを全て片脚付き足場板１３によって形成してもよい。即ち、この場合、６つの片脚付き足場板１３を上段側単管１１の一端側から順次並べて固定するようにしてもよい。また実施形態では、２つの片脚付き足場板１３と複数枚（４枚）とによって上段前部作業床１Ｓａを形成しているが、作業の内容によっては、１つの片脚付き足場板１３で上段前部作業床１Ｓａを形成してもよい。
【００３２】
こうして足場板１３，１５からなる上段前部作業床１Ｓａを形成したならば、後述する上段後部作業床（第１の片フック付き足場板１６からなる）を形成する前に、第２の片フック付き足場板１７からなる下段作業床２Ｓを形成する。即ち、図４の(a) に示すように、最下段側単管１１（斜壁部７の下から３段目のリブＲに取り付けた単管１１）と、この単管１１とほぼ同一レベルにある垂直壁部２ａ側のリブＲとに亘って第２の片フック付き足場板１７（図１０の(b) 参照）を６枚並べ、各足場板１７の一端側係止用フック４４を単管１１に係止し（図１３の(b) 参照）、各足場板１７の他端部を垂直壁部２ａ側のリブＲに載せ掛け、これによって第２の片フック付き足場板１７からなる下段作業床２Ｓを形成する。
【００３３】
上記のように第２片フック付き足場板１７からなる下段作業床２Ｓを形成したならば、この下段作業床２Ｓを使用して、既に形成されている上段前部作業床１Ｓａの後方に後部作業床１Ｓｂを形成する。即ち、上段前部作業床１Ｓａを形成している各片脚付き足場板１３のフック係止用単管２２及び足場板取付枠１４のフック係止用上部管１８に、第１片フック付き足場板１６の係止用フック４３を夫々係止し（図１４の(b) 及び図１６の(c)
参照）、これら片フック付き足場板１６の他端部を、当該足場板１６がほぼ水平姿勢となる状態で水平壁部３ａにある所要のリブＲに載せ掛ける（図１４の(c) 参照）ことによって、図１４の(a) に示すように上段前部作業床１Ｓａの後方に上段後部作業床１Ｓｂを連接する。
【００３４】
上段側作業床１Ｓａ，１Ｓｂ及び下段作業床２Ｓの形成後、図１５(a) 〜(c) に示すように、上段側作業床１Ｓａ，１Ｓｂの両側に支柱４５，４６を設置して手摺用のロープ４７を張架する。支柱４５にはクランプ４８及びロープ取付リング４９が取り付けてあり、クランプ４８によって水平壁部３ａ側のリブＲに固定する。また支柱４６にもクランプ５０及びロープ通しリング５１が取り付けてあり、この支柱４６は、図１５の(b) 及び図１６の(a) に示すように、クランプ５０によって片脚付き足場板１３の脚体２３の脚柱２３ａに固定する。ロープ４７は、図１５の(a) に示すように、一端部を支柱４６のリング４９に取り付けて、その中間部を支柱４６の頂部にあるロープ通しリング５１に通し、他端部を斜壁部７のリブＲに固定したクランプ（図示省略）に取り付けることによって張架する。
【００３５】
以上説明したようなバラストタンク区分室ａで組み立てられる架設足場装置によれば、この架設足場装置は、クランプ１２を複数個取り付けたクランプ付き単管１１と、一端部に係止用フック２１を設け且つ他端部にフック係止用単管２２及び折り畳み自在脚体２３を設けた片脚付き足場板１３と、両フック付き足場板１５と、第１及び第２の片フック付き足場板１６，１７とからなるもので、組立にあたっては、斜壁部７にあるリブＲの例えば下から３段目と４段目と７段目の夫々のリブＲにクランプ１２付き単管１１を夫々固定し、上段側（下から７段目）単管１１の両端部に、所要間隔をおいて並置した２つの片脚付き足場板１３の係止用フック２１を夫々係止し、下段側（４段目）単管１１に、各片脚付き足場板１３の脚体２３下端部を固定具３２を介して固定し、２つの片脚付き足場板１３，１３のフック係止用単管２２，２２を接続用パイプ１４でつないだ後、２つの片脚付き足場板１３間に複数枚の両フック付き足場板１５を配置して、各足場板１５の両端側係止用フック４２を上段側単管１１と接続用パイプ１４に係止することにより、足場板１３，１５からなる上段前部作業床１Ｓａを形成し、この後、最下段側（３段目）単管１１と、この単管１１とほぼ同一レベルにある垂直壁部２ａ側のリブＲとにわたって第２の片フック付き足場板１７を複数枚並べ、各足場板１７の一端側係止用フック４４を単管１１に係止し、各足場板１７の他端部を垂直壁部２ａ側のリブＲに載せ掛けることによって、第２の片フック付き足場板１７からなる下段作業床２Ｓを形成し、そして２つの片脚付き足場板１３のフック係止用単管２２及び接続用パイプ１４に複数の片フック付き足場板１６の係止用フック４３を夫々係止し、これら片フック付き足場板１６の他端部を垂直壁部２ａにある同一レベルのリブＲに載せ掛けることによって、上段前部作業床１Ｓａの後方に上段後部作業床１Ｓｂを形成するから、これらの下段作業床２Ｓ及び上段作業床１Ｓａ，１Ｓｂによって、バラストタンク区分室ａ内の補修作業や点検作業等を能率良く且つ安全に行うことができる。
【００３６】
そして、この架設足場装置は、組立及び分解が簡単であって、上記のような組立要領を作業者が一旦理解すれば、一つのバラストタンク区分室ａでの作業終了後は、この架設足場装置を分解して、装置構成部材を次のバラストタンク区分室ａへ搬送し、そこで上記した組立要領と同じ要領で組み立てればよいし、その作業が終われば分解すればよいから、各区分室ａでの架設足場装置の組立・分解作業を短時間で行うことが出来ると共に、船体１のバラストタンク内に区画形成されている多数のバラストタンク区分室ａの補修作業や点検作業等を能率良く短期間で行うことができる。
【００３７】
尚、最初のバラストタンク区分室ａ内に架設足場装置を設置する場合における装置構成部材の搬入は、天井部３ａに設けられた搬入ハッチ１０より梯子Ｈを使用して行い、また一つのバラストタンク区分室ａから隣りのバラストタンク区分室ａへの装置構成部材の搬送は、隔壁Ｗの連通窓Ｏにより行う。
【００３８】
この実施形態では、上段後部作業床１Ｓｂの組立に先立ち、最下段側単管１１と垂直壁部２ａ側の所要のリブＲとにわたり第２の片フック付き足場板１７を複数枚並べて各足場板１７の一端側係止用フック４４を単管１１に係止し、各足場板１７の他端部を垂直壁部２ａ側のリブＲに載せ掛けて、複数枚の第２の片フック付き足場板１７からなる下段作業床２Ｓを形成しているが、垂直壁部２ａの高さが比較的低くて、バラストタンク区分室ａ内での補修等の作業が、上段作業床１Ｓａ，１Ｓｂだけで作業ができる場合には、第２の片フック付き足場板１７からなる下段作業床２Ｓを形成する必要がなく、省略できる。
【００３９】
垂直壁部２ａの高さが比較的高い場合は、この実施形態のように、上段後部作業床１Ｓｂの組立に先立って下段作業床２Ｓを組み立てることにより、作業者は下段作業床２Ｓの上で上段後部作業床１Ｓｂの組立作業を容易且つ安全に行うことができる。
【００４０】
また、この仮設足場装置において、片脚付き足場板１３には脚体２３の設けられた端部側にハッチ３３を設けると共に、ハッチ３３を開閉する床部３４を設けたことによって、ハッチ３３を利用して片脚付き足場板１３から下方へ移動が容易となり、作業能率が向上する。
【００４１】
上述した実施形態では、バラストタンク補修等用仮設足場装置を、船体側板２の一部を成す垂直壁部２ａと甲板３の一部を成す水平壁部３ａと斜壁部７とによって断面略直角三角形に形成されたタンク部Ａの区分室ａにおいて組み立てる実施例について説明したが、この仮設足場装置は、船体側板２の一部を成す垂直壁部２ａと船底板４の一部を成す水平壁部４ａと斜壁部８とによって断面略直角三角形に形成されたタンク部Ａの区分室ｂにおいても、上述したバラストタンク区分室ａの場合と同様に組み立てられるものである。
【図面の簡単な説明】
【００４２】
【図１】貨物船の船体１の断面図である。
【図２】図１の矢印Ｘで示す部分の拡大図である。
【図３】バラストタンク区分室ａの内部構造を示す斜視図である。
【図４】(a) はバラストタンク区分室ａの天井部３ａを示す平面図、(b) は(a) に示す搬入ハッチ１０の拡大平面図、(c) は(a) のＹ−Ｙ線断面図、(d) は(b) のＺ−Ｚ線断面図である。
【図５】(a) はクランプ１２付き単管１１の正面図、(b) は側面図、(c) は(a) の矢印イで示される部分の正面図、(d) は左側面図、(e) は平面図である。
【図６】(a) は片脚付き足場板１３の正面図、(b) は平面図、(c) は底面図である。
【図７】(a) は脚体を折り畳んだ状態での片脚付き足場板１３の正面図、(b) は脚体を下ろした治使用状態での正面図、(c) は(b) の矢印ロで示す部分の拡大図、(d) は足場板本体のハッチを閉じた状態の斜視図、(e) はハッチを開けた状態の斜視図である。
【図８】(a) は図７の(b) のハ−ハ線拡大断面図、(b) は図７の(b) の矢印ニで示す部分の拡大図である。
【図９】(a) は両フック付き足場板１５の正面図、(b) は平面図である。
【図１０】(a) は第１の片フック付き足場板１６の正面図、(b) は平面図、(c) は第２の片フック付き足場板１７の正面図、(d) は平面図である。
【図１１】(a) はバラストタンク区分室ａの内部構造を示す斜視図で、架設足場装置の組立方法の最初の段階を示し、(b) は(a) の矢印チで示す部分の拡大図である。
【図１２】同組立方法の次の段階を示す斜視図、(b) は(a) の矢印リで示す部分の拡大図である。
【図１３】同組立方法の更に次の段階を示す斜視図、(b) は(a) の矢印ヌで示す部分の拡大図である。
【図１４】同組立方法の更に次の段階を示す斜視図、(b) は(a) の矢印カで示す部分の拡大図、(c) は(a) の矢印ルで示す部分の拡大図である。
【図１５】同組立方法の最終段階を示す斜視図、(b) は(a) の矢印オで示す部分の拡大図、(c) は(a) の矢印ワで示す部分の拡大図である。
【図１６】(a) は２つの片脚付き足場板１３に連結された足場板取付枠１４を示す概略正面図、(b) は(a) の矢印ヨで示す部分の拡大図、(c) は上段作業床１Ｓａ，１Ｓｂを形成する片脚付き足場板１３と片フック付き足場板１６との連接部を示す拡大平面図である。
【符号の説明】
【００４３】
１            船体
２            船体側板
２ａ          垂直壁部
３            甲板
３ａ          水平壁部
４            船底板
４ａ          水平壁部
７            斜壁部
８            斜壁部
Ｒ            リブ
１１          クランプ付き単管
１２          単管固定用クランプ
１３          片脚付き足場板
１４          接続用パイプ
１５          両フック付き足場板
１６          第１の片フック付き足場板
１７          第２の片フック付き足場板
２２          片脚付き足場板のフック係止用単管
２３          片脚付き足場板の脚体
３３          ハッチ
３４          作業床
【図１】
0004456545.tif 000002
【図２】
0004456545.tif 000003
【図３】
0004456545.tif 000004
【図４】
0004456545.tif 000005
【図５】
0004456545.tif 000006
【図６】
0004456545.tif 000007
【図７】
0004456545.tif 000008
【図８】
0004456545.tif 000009
【図９】
0004456545.tif 000010
【図１０】
0004456545.tif 000011
【図１１】
0004456545.tif 000012
【図１２】
0004456545.tif 000013
【図１３】
0004456545.tif 000014
【図１４】
0004456545.tif 000015
【図１５】
0004456545.tif 000016
【図１６】
0004456545.tif 000017